(57)【要約】【課題】提供する情報をグループごとに異ならせる処理を容易に行うことができる情報提供装置、プログラム及び情報提供方法を提供することを課題とする。【解決手段】端末装置に情報を提供する情報提供装置であって、端末装置からのアクセスを受け付ける複数のアドレスのうち、端末装置からのアクセスを受け付けたアドレスを解析するアドレス解析手段と、アドレスとグループとが関連付けられているグループの情報に基づき、アドレス解析手段が解析したアドレスと関連付けられているグループを取得し、そのグループと関連付けられている情報を端末装置に提供する情報提供手段とを有することにより、上記課題を解決する。【選択図】  図１
2015158761.tif 000002
【特許請求の範囲】
【請求項１】
端末装置に情報を提供する情報提供装置であって、
前記端末装置からのアクセスを受け付ける複数のアドレスのうち、前記端末装置からのアクセスを受け付けたアドレスを解析するアドレス解析手段と、
アドレスとグループとが関連付けられているグループの情報に基づき、前記アドレス解析手段が解析したアドレスと関連付けられているグループを取得し、そのグループと関連付けられている情報を前記端末装置に提供する情報提供手段と
を有する情報提供装置。
【請求項２】
アドレスとグループとを関連付けて登録するグループ登録要求を前記端末装置から受け付け、前記端末装置からのアクセスを受け付ける複数のアドレスのうち、前記端末装置から選択されたアドレスにグループを関連付けて登録するグループ登録手段
を更に有する請求項１記載の情報提供装置。
【請求項３】
前記端末装置に提供する情報とグループとを関連付けて登録する情報登録要求を前記端末装置から受け付け、前記端末装置からの情報登録要求を受け付けたアドレスに関連付けられているグループと関連付けて、前記端末装置に提供する情報を登録する情報登録手段
を更に有する請求項１又は２記載の情報提供装置。
【請求項４】
前記グループの情報は、アドレスとグループと認証設定とが関連付けられていること
を特徴とする請求項１乃至３何れか一項記載の情報提供装置。
【請求項５】
前記情報提供手段は、グループと関連付けられている情報から一覧を生成し、その一覧を前記端末装置に提供すること
を特徴とする請求項１乃至４何れか一項記載の情報提供装置。
【請求項６】
前記アドレスは前記情報提供装置に割り当てられたＩＰアドレスであること
を特徴とする請求項１乃至５何れか一項記載の情報提供装置。
【請求項７】
端末装置に情報を提供する情報提供装置を、
前記端末装置からのアクセスを受け付ける複数のアドレスのうち、前記端末装置からのアクセスを受け付けたアドレスを解析するアドレス解析手段、
アドレスとグループとが関連付けられているグループの情報に基づき、前記アドレス解析手段が解析したアドレスと関連付けられているグループを取得し、そのグループと関連付けられている情報を前記端末装置に提供する情報提供手段、
として機能させるためのプログラム。
【請求項８】
端末装置に情報を提供する情報提供装置において実行される情報提供方法であって、
前記端末装置からのアクセスを受け付ける複数のアドレスのうち、前記端末装置からのアクセスを受け付けたアドレスを解析するアドレス解析ステップと、
アドレスとグループとが関連付けられているグループの情報に基づき、前記アドレス解析ステップで解析されたアドレスと関連付けられているグループを取得し、そのグループと関連付けられている情報を前記端末装置に提供する情報提供ステップと
を有する情報提供方法。
【発明の詳細な説明】
【技術分野】
【０００１】
本発明は、情報提供装置、プログラム及び情報提供方法に関する。
【背景技術】
【０００２】
情報処理装置間で予め表示コンテンツを共有しておき、各情報処理装置で受け付けた入力操作の操作情報のみをやり取りすることで、少ないデータ量で入力操作が反映された表示画面を共有可能な画面共有サービス提供システムは従来から知られている（例えば特許文献１参照）。
【発明の概要】
【発明が解決しようとする課題】
【０００３】
従来の画面共有サービス提供システムでは、セキュリティなどの観点から、会社などの組織や部署、学校の学部などのグループごとに共有する画面を分けたい場合がある。従来の画面共有サービス提供システムでは、グループごとに共有する画面を分ける場合、画面共有サービスを提供するサーバ装置をグループごとに設置し、アクセスするサーバ装置をグループごとに異ならせる必要があった。また、従来の画面共有サービス提供システムではグループごとに共有する画面を分ける場合、グループをユーザなどのアカウントにより管理する必要があった。
【０００４】
このような問題は、画面共有サービス提供システムと同様に、複数の端末装置に情報を提供する情報提供装置においても共通に存在する。
【０００５】
本発明の実施の形態は、上記の点に鑑みなされたもので、提供する情報をグループごとに異ならせる処理を容易に行うことができる情報提供装置、プログラム及び情報提供方法を提供することを目的とする。
【課題を解決するための手段】
【０００６】
上記目的を達成するため、本願請求項１は、端末装置に情報を提供する情報提供装置であって、前記端末装置からのアクセスを受け付ける複数のアドレスのうち、前記端末装置からのアクセスを受け付けたアドレスを解析するアドレス解析手段と、アドレスとグループとが関連付けられているグループの情報に基づき、前記アドレス解析手段が解析したアドレスと関連付けられているグループを取得し、そのグループと関連付けられている情報を前記端末装置に提供する情報提供手段とを有することを特徴とする。
【発明の効果】
【０００７】
本発明の実施の形態によれば、提供する情報をグループごとに異ならせる処理を容易に行うことができる。
【図面の簡単な説明】
【０００８】
【図１】本実施形態に係る会議システムの一例の構成図である。
【図２】本実施形態に係るコンピュータの一例のハードウェア構成図である。
【図３】登録端末の一例の機能ブロック図である。
【図４】会議サーバ装置の一例の機能ブロック図である。
【図５】参加端末の一例の機能ブロック図である。
【図６】グループ登録処理の一例のイメージ図である。
【図７】会議登録処理の手順の一例を表したイメージ図である。
【図８】グルーピングされた会議情報を取得する処理の一例のイメージ図である。
【図９】会議一覧取得処理の手順の一例を表したイメージ図である。
【図１０】会議一覧画面の一例のイメージ図である。
【図１１】会議一覧画面の他の例のイメージ図である。
【発明を実施するための形態】
【０００９】
次に、本発明の実施の形態について、詳細に説明する。なお、本実施形態では情報提供システムの一例としての会議システム１について説明する。会議システム１では参加端末１３が会議サーバ装置１１からグループ毎に異なる会議一覧を取得し、会議一覧を画面に表示する。会議サーバ装置１１は情報提供装置の一例である。会議一覧は情報提供装置から提供されるグループごとに異なる情報の一例である。
［第１の実施形態］
＜システム構成＞
図１は本実施形態に係る会議システムの一例の構成図である。図１の会議システム１は登録端末１０、会議サーバ装置１１、複数の参加端末１３が、ＬＡＮなどのネットワークＮ１に接続される構成を一例として示している。
【００１０】
登録端末１０は、後述の会議情報や会議資料を会議サーバ装置１１に登録する機能を備えている。また、登録端末１０は後述のグループを会議サーバ装置１１に登録する機能を備えている。
【００１１】
例えば会議システム１の管理者などは後述するように、登録端末１０からグループを会議サーバ装置１１に登録することができる。また、会議の開催者や発表者は登録端末１０から後述するように、会議情報や会議資料をグループと対応付けて会議サーバ装置１１に登録できる。登録端末１０は会議システム１の管理者、会議の開催者や発表者が操作するデバイスである。
【００１２】
登録端末１０はＰＣ（パーソナルコンピュータ）やタブレット端末、スマートフォンや携帯電話、ＰＤＡなどの携帯情報端末の他、会議専用端末であってもよい。また、登録端末１０は、プリンタや複合機などの画像形成装置、プロジェクタ等の投影装置であってもよい。
【００１３】
会議サーバ装置１１はグループ、会議情報や会議資料の管理を行う。会議サーバ装置１１は参加端末１３から会議一覧を要求されると、後述するようにグループ毎に異なる会議一覧を参加端末１３に提供する。
【００１４】
また、会議サーバ装置１１は会議の開催や参加制御、参加中の参加端末１３に対して発表者の入力操作をリアルタイムに配信する機能を有する。会議サーバ装置１１は１つのコンピュータ上で動作するソフトウェアやサービスにより実現できる。会議サーバ装置１１は例えば所謂クラウドサービスの形態をとることもできる。
【００１５】
参加端末１３は会議一覧、会議情報や会議資料を会議サーバ装置１１から取得し、会議に参加する機能を備えている。会議の発表者や参加者は、参加端末１３から会議に参加できる。参加端末１３は会議の発表者や参加者が操作するデバイスである。
【００１６】
参加端末１３は、ＰＣやタブレット端末、スマートフォンや携帯電話、ＰＤＡなどの携帯情報端末、電子ホワイトボード等の表示装置、プロジェクタ等の投影装置等の他、会議専用端末であってもよい。また、参加端末１３はプリンタや複合機などの画像形成装置であってもよい。参加端末１３は会議への参加中、会議サーバ装置１１から発表者の入力操作をリアルタイムに受信し、他の参加端末１３と表示画面の共有を行う。
【００１７】
＜ハードウェア構成＞
登録端末１０、会議サーバ装置１１、参加端末１３は、例えば図２に示すハードウェア構成のコンピュータ１００により実現される。図２は本実施形態に係るコンピュータの一例のハードウェア構成図である。
【００１８】
図２に示したコンピュータ１００は、入力装置１０１、表示装置１０２、外部Ｉ／Ｆ１０３、ＲＡＭ１０４、ＲＯＭ１０５、ＣＰＵ１０６、通信Ｉ／Ｆ１０７、及びＨＤＤ１０８などを備え、それぞれがバスＢで相互に接続されている。なお、入力装置１０１及び表示装置１０２は必要なときに接続して利用する形態であってもよい。
【００１９】
入力装置１０１はキーボード、マウス、タッチパネル等により実現され、コンピュータ１００に各操作信号を入力するのに用いられる。表示装置１０２はディスプレイ等により実現され、コンピュータ１００による処理結果を表示する。
【００２０】
通信Ｉ／Ｆ１０７はコンピュータ１００をネットワークＮ１に接続するインタフェースである。これにより、コンピュータ１００は通信Ｉ／Ｆ１０７を介して他のコンピュータ１００とデータ通信を行うことができる。
【００２１】
また、ＨＤＤ１０８は、プログラムやデータを格納している不揮発性の記憶装置の一例である。格納されるプログラムやデータには、コンピュータ１００全体を制御する基本ソフトウェアであるＯＳ、及びＯＳ上において各種機能を提供するアプリケーションソフトウェアなどがある。なお、コンピュータ１００はＨＤＤ１０８に替え、記憶媒体としてフラッシュメモリを用いるドライブ装置（例えばソリッドステートドライブ：ＳＳＤ）を利用するものであってもよい。
【００２２】
外部Ｉ／Ｆ１０３は、外部装置とのインタフェースである。外部装置には、記録媒体１０３ａなどがある。これにより、コンピュータ１００は外部Ｉ／Ｆ１０３を介して、記録媒体１０３ａの読み取り及び／又は書き込みを行うことができる。記録媒体１０３ａはフレキシブルディスク、ＣＤ、ＤＶＤ、ＳＤメモリカード、ＵＳＢメモリ等である。
【００２３】
ＲＯＭ１０５は、電源を切ってもプログラムやデータを保持することができる不揮発性の半導体メモリ（記憶装置）の一例である。ＲＯＭ１０５には、コンピュータ１００の起動時に実行されるＢＩＯＳ、ＯＳ設定、及びネットワーク設定などのプログラムやデータが格納されている。ＲＡＭ１０４は、プログラムやデータを一時保持する揮発性の半導体メモリの一例である。
【００２４】
ＣＰＵ１０６は、ＲＯＭ１０５やＨＤＤ１０８などの記憶装置からプログラムやデータをＲＡＭ１０４上に読み出し、処理を実行することで、コンピュータ１００全体の制御や機能を実現する演算装置である。なお、コンピュータ１００は図２に示したハードウェア構成以外の構成を備えていてもよく、例えばカメラ、マイク、スピーカを内蔵していてもよい。
【００２５】
登録端末１０、会議サーバ装置１１、参加端末１３は、例えば上記ハードウェア構成のコンピュータ１００上でプログラムを実行することにより、各種処理を実現できる。
【００２６】
＜ソフトウェア構成＞
本実施形態に係る会議システム１の登録端末１０、会議サーバ装置１１、参加端末１３は例えば以下のような機能ブロックにより実現される。
【００２７】
《登録端末》
登録端末１０は例えば図３に示すような機能ブロックで実現される。図３は登録端末の一例の機能ブロック図である。登録端末１０はプログラムを実行することで、表示制御部２１、操作受付部２２、登録要求部２３を実現する。
【００２８】
表示制御部２１は会議の管理者の操作により後述のグループ登録画面を表示する処理などを行う。また、表示制御部２１は会議の開催者や発表者の操作により会議登録画面を表示する処理などを行う。
【００２９】
操作受付部２２はグループ登録画面に対する管理者の操作によりグループの情報の入力を受け付ける。操作受付部２２は会議登録画面に対する開催者や発表者の操作により会議情報や会議資料等の会議の情報の入力を受け付ける。
【００３０】
また、登録要求部２３はグループ登録画面に入力されたグループの情報の登録要求を会議サーバ装置１１に対して行い、会議サーバ装置１１にグループの情報を登録する。登録要求部２３は会議登録画面に入力された会議の情報の登録要求を会議サーバ装置１１に対して行い、会議サーバ装置１１に会議の情報を登録する。
【００３１】
《会議サーバ装置》
会議サーバ装置１１は例えば図４に示すような機能ブロックで実現される。図４は会議サーバ装置の一例の機能ブロック図である。会議サーバ装置１１はプログラムを実行することで、アドレス解析部３１、会議登録部３２、会議一覧生成部３３、グループ管理部３４、資料共有部３５、会議ＤＢ３６、会議・グループ関連ＤＢ３７、アドレス・グループ関連ＤＢ３８を実現する。
【００３２】
アドレス解析部３１はアクセスがされたアドレスを後述のように解析する。会議登録部３２は登録端末１０から会議の情報の登録要求を受け付け、登録要求に応じて会議ＤＢ３６及び会議・グループ関連ＤＢ３７に情報を追加する。
【００３３】
会議一覧生成部３３は参加端末１３から会議一覧を要求されると、グループ毎に異なる会議一覧を生成して参加端末１３に提供する。グループ管理部３４は登録端末１０からグループの情報の登録要求を受け付け、登録要求に応じてアドレス・グループ関連ＤＢ３８に情報を追加する。資料共有部３５は、会議の開催や参加制御、参加中の参加端末１３に対して発表者の入力操作をリアルタイムに配信する機能等、会議システム１の機能を実現する。
【００３４】
会議ＤＢ３６は会議情報や会議資料等の会議の情報を格納している。会議・グループ関連ＤＢ３７は会議の情報とグループとを関連付ける関連情報を格納している。また、アドレス・グループ関連ＤＢ３８はアドレスとグループとを関連付けるグループの情報を格納している。なお、会議情報に会議資料の保存先を記録しておくことにより会議資料は会議サーバ装置１１以外のファイルサーバ装置などに保存しておいてもよい。
【００３５】
《参加端末》
参加端末１３は例えば図５に示すような機能ブロックで実現される。図５は参加端末の一例の機能ブロック図である。参加端末１３はプログラムを実行することで、表示制御部４１、操作受付部４２、会議一覧取得部４３、参加要求部４４、参加処理部４５、会議処理部４６、資料データ記憶部４７を実現する。参加端末１３で実行されるプログラムは例えば参加端末１３に搭載されているアプリケーションである。
【００３６】
表示制御部４１は会議の発表者や参加者の操作により後述の会議一覧画面、会議画面を表示する処理などを行う。操作受付部２２は会議一覧画面、会議画面に対する発表者や参加者の操作を受け付ける。会議一覧取得部４３は会議サーバ装置１１に対して会議一覧取得要求を行う。会議一覧取得部４３は会議サーバ装置１１から開催又は参加できる会議の会議一覧を取得する。参加要求部４４は会議の発表者や参加者の操作により会議一覧から選択された会議への参加要求を会議サーバ装置１１に対して行う。参加処理部４５は会議情報や会議資料等の会議の情報を会議サーバ装置１１から受信する。
【００３７】
会議処理部４６は会議サーバ装置１１から配信された発表者の入力操作に基づき、会議画面を更新することで表示画面の共有を行う。資料データ記憶部４７は会議サーバ装置１１から受信した会議情報や会議資料等の会議の情報を保存する。
【００３８】
＜処理の詳細＞
以下では、本実施形態に係る会議システム１の処理の詳細について説明する。
【００３９】
《グループ登録処理》
図６はグループ登録処理の一例のイメージ図である。まず、会議の管理者は会議サーバ装置１１へグループの情報を登録する必要がある。グループの情報を登録する場合、会議の管理者などは登録端末１０から会議サーバ装置１１のグループ登録画面を示すアドレスにアクセスし、グループ登録画面１０００を表示させる。
【００４０】
グループ登録画面１０００には、会議サーバ装置１１のアドレス設定欄と、認証方式を設定する認証設定欄と、グループの情報を登録してグループを作成する作成ボタンとが含まれている。
【００４１】
グループ登録画面１０００のアドレス設定欄に表示される会議サーバ装置１１のアドレスは、会議サーバ装置１１に割り当てられている全てのアドレスである。つまり、本実施形態に係る会議システム１では会議サーバ装置１１に割り当てられているアドレスの数の分だけ、グループを作成できる。
【００４２】
会議の管理者がグループ登録画面１０００にアドレス及び認証方式を設定し、作成ボタンを押下すると、登録端末１０はグループ登録画面１０００に設定されたアドレス及び認証方式を会議サーバ装置１１に送信し、グループの情報の登録要求を行う。
【００４３】
会議サーバ装置１１はグループの情報の登録要求を受信すると、グループ登録画面１０００に設定されたアドレス及び認証方式をアドレス・グループ関連ＤＢ３８に追加すると共に、グループＩＤを関連付ける。図６では、グループの情報の登録要求により、新たにグループＩＤが「２」であり、アドレスが「１９２．１６８．０．２」であり、認証方式が「なし」のグループが作成されている。
【００４４】
《会議登録処理》
図７は会議登録処理の手順の一例を表したイメージ図である。会議の開催者や発表者は会議を開催する前に会議サーバ装置１１へ会議情報や会議資料等の会議の情報を登録しておく必要がある。
【００４５】
ステップＳ１１において、会議の開催者や発表者は登録端末１０を操作し、会議サーバ装置１１の会議登録画面のアドレス「１９２．１６８．０．１」へアクセスする。登録端末１０の表示制御部２１は会議登録画面を表示装置１０２などに表示させる。会議登録画面は会議情報や会議資料等の会議の情報を登録させるための画面である。例えば会議情報には会議の名称、日時、パスワード、会議資料の保存先などの情報が含まれている。登録端末１０は会議登録画面に入力された会議の情報の登録要求を会議サーバ装置１１に対して行う。
【００４６】
会議サーバ装置１１の会議登録部３２は登録端末１０から会議の情報の登録要求を受け付けると、ステップＳ１２に進み、アドレス・グループ関連ＤＢ３８からアクセスされたアドレス「１９２．１６８．０．１」に関連付いたグループＩＤ「１」を取得する。
【００４７】
ステップＳ１３において、会議登録部３２はユニークな会議ＩＤ「Ｃｏｎｆ４」を生成して、会議登録画面に入力された会議の情報（会議の名称「会議１−３」や日時「２０１３０１０１１３００」など）と共に、会議ＤＢ３６に追加する。
【００４８】
ステップＳ１４において、会議登録部３２はステップＳ１２で取得したグループＩＤとステップＳ１３で会議ＤＢ３６へ追加した会議の情報の会議ＩＤとを関連付ける関連情報を会議・グループ関連ＤＢ３７に追加する。例えば図７では、会議ＩＤ「Ｃｏｎｆ４」とグループＩＤ「１」とを関連付ける関連情報が会議・グループ関連ＤＢ３７に追加されている。
【００４９】
図７の会議登録処理によれば、会議登録画面に入力された会議の情報をグループと関連付けて会議サーバ装置１１に登録できる。
【００５０】
《会議一覧取得処理》
図８は、グルーピングされた会議情報を取得する処理の一例のイメージ図である。会議サーバ装置１１はアドレス「１９２．１６８．０．１」と「１９２．１６８．０．１」が割り当てられている。
【００５１】
会議サーバ装置１１はアドレス「１９２．１６８．０．１」に「会議グループ１」が関連付けられて登録され、アドレス「１９２．１６８．０．２」に「会議グループ２」が関連付けられて登録されている。
【００５２】
例えば会議サーバ装置１１のアドレス「１９２．１６８．０．１」にアクセスして会議一覧取得要求を行った参加端末１３は「会議グループ１」に関連付く会議の情報から作成された会議一覧を取得する。
【００５３】
また、会議サーバ装置１１のアドレス「１９２．１６８．０．２」にアクセスして会議一覧取得要求を行った参加端末１３は「会議グループ２」に関連付く会議の情報から作成された会議一覧を取得する。
【００５４】
このように、本実施形態に係る会議システム１では、会議システム１をグループ毎に独立して利用したい場合に、会議サーバ装置１１のアドレス（例えばＩＰアドレス）ごとに会議の情報をグルーピングできる。なお、本実施形態に係る会議システム１では１台の会議サーバ装置１１をグループ毎に独立して利用できるので、複数台の会議サーバ装置１１を設置するコストや管理する手間を省くことができる。さらに、本実施形態に係る会議システム１ではグループをユーザなどのアカウントにより管理する必要がなく、会議システム１の管理者によるアカウント管理と、会議の発表者や参加者によるログイン処理とが不要となる。
【００５５】
図９は会議一覧取得処理の手順の一例を表したイメージ図である。ステップＳ２１において会議の発表者や参加者は参加端末１３を操作し、会議サーバ装置１１の会議一覧画面のアドレス「１９２．１６８．０．１」へアクセスする。
【００５６】
会議サーバ装置１１のアドレス解析部３１は、参加端末１３からアクセスされたアドレス「１９２．１６８．０．１」を解析する。ステップＳ２２において、会議サーバ装置１１の会議一覧生成部３３はアドレス・グループ関連ＤＢ３８を参照し、参加端末１３からアクセスされたアドレス「１９２．１６８．０．１」に関連付いたグループＩＤ「１」を取得する。ステップＳ２３において、会議一覧生成部３３は会議・グループ関連ＤＢ３７を参照し、ステップＳ２２で取得したグループＩＤ「１」に関連付いた会議ＩＤ「Ｃｏｎｆ１」と「Ｃｏｎｆ２」を取得する。
【００５７】
ステップＳ２４において、会議一覧生成部３３は会議ＤＢ３６を参照し、ステップＳ２３で取得した会議ＩＤ「Ｃｏｎｆ１」に関連付いた会議の情報（会議の名称「会議１」や日時「２０１３０１０１１１００」など）を取得する。
【００５８】
また、会議一覧生成部３３は会議ＤＢ３６を参照し、ステップＳ２３で取得した会議ＩＤ「Ｃｏｎｆ２」に関連付いた会議の情報（会議の名称「会議１−２」や日時「２０１３０１０１１１００」など）を取得する。
【００５９】
会議一覧生成部３３は、ステップＳ２４で取得した会議の情報から会議ＩＤ「Ｃｏｎｆ１」と「Ｃｏｎｆ２」の会議の情報を含む会議一覧を生成し、その会議一覧を参加端末１３に提供する。
【００６０】
図９の会議一覧取得処理によれば、参加端末１３は参加するグループの会議一覧を容易に会議サーバ装置１１から取得できる。なお、参加端末１３が会議サーバ装置１１から取得して表示する会議一覧画面は図１０又は図１１のようになる。
【００６１】
図１０は会議一覧画面の一例のイメージ図である。また、図１１は会議一覧画面の他の例のイメージ図である。図１０の会議一覧画面１０１０は参加端末１３が会議サーバ装置１１のアドレス「１９２．１６８．０．１」にアクセスしたときの例である。また、図１１の会議一覧画面１０２０は参加端末１３が会議サーバ装置１１のアドレス「１９２．１６８．０．２」にアクセスしたときの例である。このように、本実施形態に係る会議システム１では、会議サーバ装置１１から参加端末１３に提供する会議一覧をグループごとに異ならせる処理を容易に行うことができる。
【００６２】
＜まとめ＞
本実施形態によれば、会議システム１をグルーピングして利用したい場合に、複数のアドレスを会議サーバ装置１１に割り当て、割り当てられたアドレスを会議のグループと関連付けることで、会議システム１をアドレスでグルーピングできる。参加端末１３はアクセスする会議サーバ装置１１のアドレスによって、異なるグループの会議一覧を取得することができる。
【００６３】
例えば会議サーバ装置１１にアドレスＡ及びＢが割り振られていた場合は、アドレスＡにグループＡを関連付けて登録し、アドレスＢにグループＢを関連付けて登録することができる。この場合、参加端末１３はアドレスＡにアクセスすることでグループＡの会議一覧を取得できる。
【００６４】
なお、本実施形態に係る会議システム１では会議サーバ装置１１に複数のアドレスが割り当てられていることを前提とするが、同一のポート（ｐｏｒｔ）を利用することによりＤＮＳ（Domain Name System）の利用も可能である。また、本実施形態に係る会議システム１ではアドレスごとに異なるプロセスで処理を行うものであっても、各アドレスで共通のプロセスで処理を行うものであってもよい。
【００６５】
本発明は、具体的に開示された上記の実施形態に限定されるものではなく、特許請求の範囲から逸脱することなく、種々の変形や変更が可能である。例えば本実施形態では情報提供システムの一例として会議システム１を示したが、セミナーシステムや教育システムなどの情報を提供して表示するシステムへの適用も可能である。また、本実施形態は例えばグループウェアやＷｅｂサービスへの適用も可能である。
【００６６】
例えば会議サーバ装置１１は、情報提供装置の一例である。登録端末１０、参加端末１３は端末装置の一例である。アドレス解析部３１はアドレス解析手段の一例である。会議一覧生成部３３は情報提供手段の一例である。グループ管理部３４はグループ登録手段の一例である。会議登録部３２は情報登録手段の一例である。
【００６７】
なお、登録端末１０、会議サーバ装置１１及び参加端末１３を有する会議システム１は一例であって、用途や目的に応じて様々なシステム構成例があることは言うまでもないことである。
【符号の説明】
【００６８】
１      会議システム
１０    登録端末
１１    会議サーバ装置
１３    参加端末
２１    表示制御部
２２    操作受付部
２３    登録要求部
３１    アドレス解析部
３２    会議登録部
３３    会議一覧生成部
３４    グループ管理部
３５    資料共有部
３６    会議ＤＢ
３７    会議・グループ関連ＤＢ
３８    アドレス・グループ関連ＤＢ
４１    表示制御部
４２    操作受付部
４３    会議一覧取得部
４４    参加要求部
４５    参加処理部
４６    会議処理部
４７    資料データ記憶部
１００    コンピュータ
１０１    入力装置
１０２    表示装置
１０３    外部Ｉ／Ｆ
１０３ａ    記録媒体
１０４    ＲＡＭ（Random Access Memory）
１０５    ＲＯＭ（Read Only Memory）
１０６    ＣＰＵ（Central Processing Unit）
１０７    通信Ｉ／Ｆ
１０８    ＨＤＤ（Hard Disk Drive）
Ｂ    バス
Ｎ１    ネットワーク
【先行技術文献】
【特許文献】
【００６９】
【特許文献１】特開２０１２−１０８８７２号公報
【図１】
2015158761.tif 000003
【図２】
2015158761.tif 000004
【図３】
2015158761.tif 000005
【図４】
2015158761.tif 000006
【図５】
2015158761.tif 000007
【図６】
2015158761.tif 000008
【図７】
2015158761.tif 000009
【図８】
2015158761.tif 000010
【図９】
2015158761.tif 000011
【図１０】
2015158761.tif 000012
【図１１】
2015158761.tif 000013